(57)【要約】      （修正有）【課題】絵画用カンバスに糸を貼り付けて行う絵画の制作において、貼り付け前の糸に処理を行うことで、従来にない多彩な表現が可能になるような糸の処理方法を提供する。【解決手段】絵画用カンバス１の表面接着層５に貼り付けられる糸７の処理方法であって、糸７に更に撚りを加えたり、糸７の撚りを戻したり、合糸された糸７の撚りを戻して糸を単糸又は複糸で取り出したり、又は、糸７を微塵切りにして綿状若しくは粉状にしてから表面粘着層５に貼り付ける絵画制作に使用される糸の処理方法。【選択図】図２
2009039942.tif 000002
【特許請求の範囲】
【請求項１】
絵画用カンバスの表面接着層に貼り付けられる糸の処理方法であって、糸に更に撚りを加えることを特徴とする絵画制作に使用される糸の処理方法。
【請求項２】
絵画用カンバスの表面接着層に貼り付けられる糸の処理方法であって、糸の撚りを戻して緩めることを特徴とする絵画制作に使用される糸の処理方法。
【請求項３】
絵画用カンバスの表面接着層に貼り付けられる糸の処理方法であって、合糸された糸の撚りを戻して、糸を単糸又は複糸で取り出すことを特徴とする絵画制作に使用される糸の処理方法。
【請求項４】
絵画用カンバスの表面接着層に貼り付けられる糸の処理方法であって、糸を微塵切りにして綿状又は粉状にすることを特徴とする絵画制作に使用される糸の処理方法。
【発明の詳細な説明】
【技術分野】
【０００１】
この発明は、絵画用カンバスの表面接着層に貼り付けられた糸により表現される絵画の制作に使用される貼り付け前の糸に、多彩な表現を可能とした処理方法を提供するものである。
【背景技術】
【０００２】
従来、種々ある絵画の制作方法の１つとして糸を使用したものがあり、糸を使用した技法としては、刺繍糸を用いて布に縫い込むいわゆる刺繍というのが一般的に行われているものである。
【０００３】
最近は、カンバスに着色された糸を接着して固定ゆくことで所定の図柄を表現していく手法が知られており、貼り付ける糸を複数色用意し、適宜選択してカンバスに貼り付けることで、カンバス上に絵画を表現することができる。
【０００４】
これら糸をカンバスに貼り付けるものとして、例えば、絹糸を両面接着テープを用いてカンバスに貼り付けてゆく方法がある（例えば、特許文献１参照）。
【０００５】
また、ベース材の表面に粘着材層を介して剥離紙が貼設され、剥離紙と粘着材層に切り込みが入れられており、剥離紙を切り込みに沿って切り離し、切り込まれた図柄に沿って糸を周囲から順に内側に巻くように接着して所定の図柄を表現することで、誰でも簡単に装飾体を仕上げられるようにしたものが知られている（例えば、特許文献２参照）。
【０００６】
また、写真等を倣って糸による絵画を得るために、特許文献１のようなカンバスの粘着層の上面に例えば写真を原図として貼り付け、原図に現れた同一色の集合した部分のみカッターで切り取り、そこに現れた接着面に原図の色と類似する糸を貼っていくことで、写真などの原図に忠実に絵画を仕上げる手法もある。
【特許文献１】特開平８−１８３３００号公報（請求項１、図１）
【特許文献２】特許第２７６０３９０号公報（段落００１８、図１）
【発明の開示】
【発明が解決しようとする課題】
【０００７】
ところで、従来の布地に刺繍を行う手法の場合は、糸が布地表面の縫い目の間を往復して、それが集合して絵柄を表現するもので、表現方法が単純であった。
【０００８】
一方、刺繍を用いずにカンバスに糸を貼り付ける特許文献１の手法の場合、刺繍のように布地表面の縫い目の往復のみならず、糸を自由な形状で貼り付けることができるが、糸はそのまま何も手を加えずに貼り付けるため、表現が単調になりがちで細やかな部分の表現に限界があった。
【０００９】
また、特許文献２の手法の場合、剥離紙を切り込みに沿って切り離し、その部分に糸を周囲から順に内側に巻くように接着することで、誰でも簡単に装飾体を仕上げられるのであるが、各切り込み部分が単一色の糸で埋められてイラスト風の絵画となってしまい、やはり表現が単調になりがちで細やかな部分の表現に限界があった。
【００１０】
また、粘着層の上面に写真を貼り付け、写真に現れた同一色の集合した部分のみカッターで切り取り、現れた接着面に写真の色と類似する糸を貼っていく手法は、特許文献２のような既製の切り込みが入れられたものよりも原図の選択肢も多く、写真に合わせて細かな部分毎に糸の貼り付け作業が可能であるが、糸を貼るだけでは写真を手本にしても表現しきれない限度があり、また用意する糸の色にも限界があり、糸を使った絵画において、これら写真様絵画を得るためには、従来に無い多彩な表現方法が必要であり、新しい技法が望まれていた。
【００１１】
そこでこの発明の課題は、絵画用カンバスに糸を貼り付けて行う絵画の制作において、貼り付け前の糸に処理を行うことで、従来にない多彩な表現が可能になるような糸の処理方法を提供することにある。
【課題を解決するための手段】
【００１２】
上記のような課題を解決するため、請求項１の発明は、絵画用カンバスの表面接着層に貼り付けられる糸の処理方法であって、糸に更に撚りを加える構成を採用した絵画制作に使用される糸の処理方法である。
【００１３】
撚りが加えられた糸に更に撚りを加えると、糸の撚りがより強くなることで糸が細くなり、糸本来の色が濃くなり、例えば硬いもの等の表現に適した処理方法となる。
【００１４】
ここで、絵画用カンバスの表面接着層とは、糸を接着保持することでカンバス表面に糸を固定するもので、固定された糸の集合体によりにより絵画様表現が行われる。
【００１５】
なお、表面接着層を透視可能な透明又は半透明とし、その下層に写真等の絵柄が形成された絵柄形成面としておけば、透視可能な接着層を介して下の絵柄形成面の絵柄（写真等）に倣って本発明の処理を行った糸を貼り付けるようにして多彩な表現が可能となる。
【００１６】
透視可能な接着層としては、透明又は半透明の接着剤を塗布したり、シート状の透明又は半透明な両面接着シートを用いて形成される。
【００１７】
請求項２の発明は、絵画用カンバスの表面接着層に貼り付けられる糸の処理方法であって、糸の撚りを戻して緩める構成を採用した絵画制作に使用される糸の処理方法である。
【００１８】
撚りが加えられている糸の撚りを戻して緩めることで、糸全体が太くなり嵩高感が出るので、柔らかなもの等の表現に適した糸の処理方法となる。
【００１９】
請求項３の発明は、絵画用カンバスの表面接着層に貼り付けられる糸の処理方法であって、合糸された糸の撚りを戻して、糸を単糸又は複糸で取り出す構成を採用した絵画制作に使用される糸の処理方法である。
【００２０】
撚りが加えられた単糸を１本取り、２本取りにして使用することにより、遠近感を作り出すことに適している。また、取り出した単糸は以前の撚られていた癖が波状に付いているので、その形状を活かした表現に利用できる糸の処理方法である。
【００２１】
請求項４の発明は、絵画用カンバスの表面接着層に貼り付けられる糸の処理方法であって、糸を微塵切りにして綿状又は粉状にする構成を採用した絵画制作に使用される糸の処理方法である。
【００２２】
糸を微塵切りにすることで、糸全体が綿状や粉状になり、その微塵切りの程度により雲や水、波や風の表現等に適した処理方法である。
【発明の効果】
【００２３】
請求項１の糸の処理方法によれば、撚りを加えることで糸本来の色が濃く表現できるので例えば硬いもの等の表現に適した処理方法となると共に、同一の糸を用いても撚りを調整することで濃度を変化させて、表現の幅を広げることができるようになる。
【００２４】
次に、請求項２の糸の処理方法によれば、糸全体が太くなり嵩高感が出るので柔らかなもの等の表現に適したものになると共に、同一の糸を用いても糸の撚りの解き程度を調整することで糸全体の嵩を変化させて、表現の幅を広げることができるようになる。
【００２５】
次に、請求項３の糸の処理方法によれば、撚りが加えられた単糸を１本取り、２本取りにしてから貼り付けることにより、種々の表情が得られることになり、これらの糸の取り出し本数を順次変化させて行くことで遠近感を作り出すことに適している。
【００２６】
また、取り出した単糸は以前の撚られていた癖が波状に付いているので、その形状を活かした表現に利用することもできる。
【００２７】
次に、請求項４の糸の処理方法によれば、糸本来の表情ではなく綿状となり、雲や水、波や風の表現等に適した処理方法となると共に、微塵切りにした各色の糸を絵の具のように混ぜ合わせることにより、際限なく色々な色を作り出すことができる。
【００２８】
また、微塵切りの程度を更に進めて粉状にすると接着時には殆ど絵の具を塗っている感覚で細かな箇所を描くことができるようになる。
【００２９】
以上、請求項１乃至４の処理方法を加えた糸を、無加工の糸と共に用いることで、絵の具を用いた絵画と同等の表現手段が得られると共に、糸本来が持つ艶や輝きをも利用することで、絵の具やその他の手法を超えた絵画の表現手段が得られることになる。
【発明を実施するための最良の形態】
【００３０】
図１は、この発明の糸の処理方法が行われた糸を貼って絵画作成を行うための絵画用カンバス１の断面図であり、板状のベース材２の上に、接着層３、下絵紙４、透視可能な接着層５、カバーシート６の順に積層された状態となっている。
【００３１】
ベース材２は、板状体で、その材料は特に限定されるものではなく、発泡ポリスチレン、厚紙、布、木、金属、プラスチック等やこれらの組み合わせが挙げられ、その厚みは特に限定されず、また若干の曲がりを許容して復元する程度の柔軟性があってもよい。
【００３２】
接着層３は、このベース材２のほぼ全面を覆うように設けられ、接着剤を塗布して形成しても、シート状の両面接着シートを貼り付けることにより構成したものでもよい。
【００３３】
下絵紙４は、接着層３によりベース材２に貼り付けられており、透視可能な接着層５側が重ねられる表面側が、下絵となる絵画、写真、イラスト、又はデザイン画などの模様がカラーで現された絵柄形成面となり、この表現方法は印刷によるのが一般的であるが、写真印画紙に現像により写真が現されたものや、その他周知技術により模様が描かれたものであってもよい。
【００３４】
なお、下絵が描かれた下絵紙４をベース材２に接着層３を介して接着固定することでベース材２の上面側に絵柄形成面を形成したが、ベース材２の材質によっては、ベース材２の上面に直接下絵を印刷等により描いて絵柄形成面を形成するようにしてもよい。
【００３５】
接着層５は、接着層３と同様に両面に接着効果を有するものであるが、下絵紙４の表面に現された模様を反対側から視認できるように、全体が透明或いは半透明のもので透視可能なものであり、例えば、透明・半透明な接着剤を塗布して形成したり、透明な両面接着シートを貼り付けることにより構成したものが用いられる。
【００３６】
カバーシート６は、可撓性を有する材質からなり、透視可能な接着層５に対して接着し、比較的小さな力でこの接着層５から剥がすことができ、また、接着層５に何度でも再接着させることが可能で、例えば各種合成樹脂製フィルム、又は紙や布の表面に合成樹脂膜を形成したものが挙げられ、素材自体が接着層５に対して着脱自在であるものを用いる他、表面に離型処理を施して接着層に対して着脱自在としてもよい。
【００３７】
このカバーシート６の色は特に限定されないが、透明であれば糸を貼り付ける作業途中の仕上がり具合がカバーシート６を剥がすことなく確認することができる。
【００３８】
この発明に係る処理方法糸を貼り付ける絵画用カンバス１は上記のような構造であり、次に、図２乃至図４で、絵画の制作状況を示す。
【００３９】
まず、カバーシート６を接着層５から剥がし、この接着層５の表面に、透視された下絵紙４に描かれた絵柄８に倣って選んだ糸７を貼り付けてゆく（図２、図４）。
【００４０】
糸７としては、着色された糸であれば特に限定されないが、絵画として使用する際のその表面光沢の美しさから絹糸を用いるのが好ましく、また、透視可能な接着層５を通じて視認される下絵紙４の絵柄８の色彩に応じた色彩の糸７を貼り付けて絵画的表現を求めるので、例えば１２〜２４色程度を色彩の糸を用意しておくことが好ましい。
【００４１】
この作業時、端から糸７を貼る作業を行う部分に合わせて順次カバーシート６を剥がしてゆくようにすれば、未制作部分の接着層５はカバーシート６により保護されたままになり、作業者の手や衣服などに接着して作業が煩わしくなるといったことがない。
【００４２】
糸貼り作業を中断する際は、再度カバーシート６を接着層５に貼り戻すことにより、接着層５の接着面を常に保護状態に維持することができる（図３）。
【００４３】
上記のように、糸７は無加工でそのまま貼り付けても良いが、下絵紙４が写真の場合、１２〜２４色程度の糸７をそのまま貼り付けるだけでは表現仕切れないので、これらの糸７に対して貼り付け前に予め以下のような技法による処理を行うことで、多彩な表現が可能となる。
【００４４】
図５は、絵画用キャンパス１に本発明の処理方法を施した糸７（絹糸）を貼り付けて完成した絵画の写真であり、以下、本発明に係る処理方法の各技法について説明する。
【００４５】
（加撚技法）
撚られた糸７に更に撚りを加えてから接着層５に貼り付ける技法であり、糸７の撚りが強くなるため糸７が細くなり、結果として色が濃くなることになる。
【００４６】
この技法は、撚りの強弱により糸７の色の濃度調整を行うことができ、同一色の糸７で種々の濃度を出すことができ、特に色の濃度が濃くなる方向での処理であり、硬いものの表現に適している。
【００４７】
図６中、図示矢印で示す楕円内が加撚技法による処理を施した絹糸を建物の一部に用いた例であり、他の部分よりも濃い色を表現するのに適している。
【００４８】
（解撚技法）
糸７の撚りを戻してから接着層５に貼り付ける技法であり、糸７の撚りが弱くなるため糸７の嵩が高くなり、柔らかな糸７となる。
【００４９】
この技法は、撚りの戻しにより糸７の嵩（体積）調整を行うことができ、同一糸７で種々の嵩を出すことができ、特に嵩高さにより糸７が柔らかな表情となり、例えば、空の雲等の柔らかなもの等の表現に適している。
【００５０】
図７及び図８中、図示矢印で示す枠内が解撚技法による処理を施した絹糸を用いた例を示しており、図７はその柔らかな表現を利用して雲の一部に利用したもので、図８は糸の残った撚りを木の枝と葉の表現に利用したものである。
【００５１】
（単糸技法）
合糸された糸７の撚りを戻して、糸を単糸又は複糸で取り出す技法であり、単糸を１本、又は２本以上の複糸で取り出すことで、種々の表情が得られることになる。
【００５２】
この技法は、糸の取り出し本数を順次変化させて行くことで遠近感を作り出すことに適していると共に、取り出した単糸は以前の撚られていた癖が波状に付いているので、その形状を活かした表現、例えば波の表現に利用することができる。
【００５３】
図９乃至図１１中、図示矢印で示す楕円内が単糸技法による処理を施した絹糸を用いた例を示しており、図９はその波状の外観を建物の屋根の表現に利用したものであり、図１０はその波状の外観を水の波の表現に利用したものである。
【００５４】
また、図１１は、種々の色彩の色の絹糸を併せて用いつつ、他の表現（解撚技法の糸、又は絹糸そのままを貼り付ける）を用いた糸と併用することにより、樹木が集まった草むらの多彩な表現に利用したものである。
【００５５】
（起綿技法）
糸７を微塵切りにして綿状にする技法であり、その微塵切りの程度により雲や水、波や風の表現等に適している。
【００５６】
微塵切りの手段としては、ハサミを用いて糸７を細かく切る等をすればよく、微塵切りにした各色の糸７を絵の具のように混ぜ合わせることにより、際限なく色々な色を作り出すことができる。
【００５７】
また、微塵切りの程度を更に進めて、糸７をより細かな粉状にすることで、接着時には殆ど絵の具を塗っている感覚で細かな箇所を描くことができるようになる。
【００５８】
図１２及び図１３中、図示矢印で示す枠内が起綿技法による処理を施した絹糸を用いた例を示しており、微塵切りにした絹糸の色を適宜混ぜ合わせることにより、図１２のように色のトーンを連続的に変化させた表現としたり、また図１３のように色を層状に変化させることで水面の遠近感や反射似よる影等、絵の具と同等の表現をすることができる。
【図面の簡単な説明】
【００５９】
【図１】この発明の処理方法を施した糸を用いる絵画用カンバスの一実施形態を示す断面図である。
【図２】この発明の処理方法を施した糸を用いた絵画の制作過程を示す一部拡大断面図である。
【図３】この発明の処理方法を施した糸を用いた絵画の制作過程を示す一部拡大断面図である。
【図４】この発明の処理方法を施した糸を用いた絵画の制作過程を示す斜視図である。
【図５】この発明の処理方法を施した糸を用いた絵画の正面図である。
【図６】この発明の加撚技法を施した糸を用いた絵画の部分拡大正面図である。
【図７】この発明の解撚技法を施した糸を用いた絵画の部分拡大正面図である。
【図８】この発明の解撚技法を施した糸を用いた絵画の部分拡大正面図である。
【図９】この発明の単糸技法を施した糸を用いた絵画の部分拡大正面図である。
【図１０】この発明の単糸技法を施した糸を用いた絵画の部分拡大正面図である。
【図１１】この発明の単糸技法を施した糸を用いた絵画の部分拡大正面図である。
【図１２】この発明の起綿技法を施した糸を用いた絵画の部分拡大正面図である。
【図１３】この発明の起綿技法を施した糸を用いた絵画の部分拡大正面図である。
【符号の説明】
【００６０】
１  絵画用カンバス
２  ベース材
３  接着層
４  下絵紙
５  接着層
６  カバーシート
７  糸
８  絵柄
【図１】
2009039942.tif 000003
【図２】
2009039942.tif 000004
【図３】
2009039942.tif 000005
【図４】
2009039942.tif 000006
【図５】
2009039942.tif 000007
【図６】
2009039942.tif 000008
【図７】
2009039942.tif 000009
【図８】
2009039942.tif 000010
【図９】
2009039942.tif 000011
【図１０】
2009039942.tif 000012
【図１１】
2009039942.tif 000013
【図１２】
2009039942.tif 000014
【図１３】
2009039942.tif 000015